(57)【要約】  本発明は、静電容量方式のタッチスクリーンパネルに関し、画面領域と不活性領域を有する第１基板と、前記第１基板の一面の画面領域に形成される第１透明電極パターン部と、前記第１基板の一面の不活性領域に前記第１透明電極パターン部と電気的に連結されるように形成される第１外郭電極配線と、層間接着剤によって一面が前記第１基板の他面にラミネートされ、且つ画面領域と不活性領域を有する第２基板と、前記第２基板の他面の画面領域に形成される第２透明電極パターン部と、前記第２基板の他面の不活性領域に前記第２透明電極パターン部と電気的に連結されるように形成される第２外郭電極配線と、を含み、前記第１及び第２透明電極パターン部の接触による静電容量変化によって接触位置を感知するように構成されることによって、タッチスクリーンにおいて電極部上部のタッチによる誤動作が発生する問題点とタッチ時にスクラッチ損傷及び静電気による誤動作と損傷を防止することができると共に、タッチスクリーンの製作費用を効率的に節減することができ、タッチスクリーンパネルの製造工程を大幅に減少させることができる効果がある。【選択図】図１
2011528147.tif 000002
【特許請求の範囲】
【請求項１】
画面領域と不活性領域を有する第１基板と、
前記第１基板の一面の画面領域に形成される第１透明電極パターン部と、
前記第１基板の一面の不活性領域に前記第１透明電極パターン部と電気的に連結されるように形成される第１外郭電極配線と、
層間接着剤によって一面が前記第１基板の他面にラミネートされ、且つ画面領域と不活性領域を有する第２基板と、 
前記第２基板の他面の画面領域に形成される第２透明電極パターン部と、
前記第２基板の他面の不活性領域に前記第２透明電極パターン部と電気的に連結されるように形成される第２外郭電極配線と、を含み、
前記第１及び第２透明電極パターン部の接触による静電容量変化によって接触位置を感知するように構成されることを特徴とする静電容量方式のタッチスクリーンパネル。
【請求項２】
画面領域と不活性領域を有する第１基板と、
前記第１基板の一面の画面領域に形成される第１透明電極パターン部と、
層間接着剤によって一面が前記第１基板の他面にラミネートされ、且つ画面領域と不活性領域を有する第２基板と、
前記第２基板の他面の画面領域に形成される第２透明電極パターン部と、
前記第２基板の他面の不活性領域に少なくとも１つのビアホールを通じて前記第１透明電極パターン部と電気的に連結されるように形成される第１外郭電極配線と、
前記第２基板の他面の不活性領域に前記第２透明電極パターン部と電気的に連結されるように形成される第２外郭電極配線と、を含み、
前記第１及び第２透明電極パターン部の接触による静電容量変化によって接触位置を感知するように構成されることを特徴とする静電容量方式のタッチスクリーンパネル。
【請求項３】
前記第２基板の他面の不活性領域上に前記第１及び第２外郭電極配線と電気的に連結されるように外部駆動部がボンディングされることを特徴とする請求項２に記載の静電容量方式のタッチスクリーンパネル。
【請求項４】
層間接着剤によって一面が前記第２基板の他面にラミネートされ、且つ画面領域と不活性領域を有する透明基板と、
前記透明基板の他面の画面領域に形成されるノイズ信号除去用遮蔽電極パターンと、をさらに含むことを特徴とする請求項１または２に記載の静電容量方式のタッチスクリーンパネル。
【請求項５】
前記透明基板の他面の不活性領域に前記遮蔽電極パターンと電気的に連結されるように外郭遮蔽電極配線をさらに含むことを特徴とする 請求項４に記載の静電容量方式のタッチスクリーンパネル。
【請求項６】
画面領域と不活性領域を有する透明基板と、
前記透明基板の一面の画面領域に形成されるノイズ信号除去用遮蔽電極パターンと、
前記透明基板の一面の不活性領域に前記遮蔽電極パターンと電気的に連結されるように形成される外郭遮蔽電極配線とをさらに含み、
層間接着剤によって前記透明基板の遮蔽電極パターン及び外郭遮蔽電極配線を含む一面が前記第２基板の他面にラミネートされることを特徴とする請求項１または２に記載の静電容量方式のタッチスクリーンパネル。
【請求項７】
前記第１及び第２基板は、透明フィルム形状からなり、ガラス（Ｇｌａｓｓ）、ＰＥＴ（Ｐｏｌｙｅｔｈｙｌｅｎｅ  Ｔｅｒｅｐｈｔｈａｌａｔｅ）、ＰＥＮ（Ｐｏｌｙｅｔｈｙｌｅｎｅ  Ｎａｐｈｔｈａｌａｔｅ）、ＰＩ（Ｐｏｌｙｉｍｉｄｅ）またはアクリル（Ａｃｒｙｌ）のうち少なくともいずれか１つを利用して形成されることを特徴とする請求項１または２に記載の静電容量方式のタッチスクリーンパネル。
【請求項８】
画面領域と不活性領域を有する基板と、
前記基板の一面及び他面の画面領域に各々形成される第１及び第２透明電極パターン部と、
前記基板の一面及び他面の不活性領域に前記第１及び第２透明電極パターン部と各々電気的に連結されるように形成される第１及び第２外郭電極配線と、を含み、
前記第１及び第２透明電極パターン部の接触による静電容量変化によって接触位置を感知するように構成されることを特徴とする静電容量方式のタッチスクリーンパネル。
【請求項９】
画面領域と不活性領域を有する基板と、
前記基板の一面及び他面の画面領域に各々形成される第１及び第２透明電極パターン部と、
前記基板の他面の不活性領域に少なくとも１つのビアホールを通じて前記第１透明電極パターン部と電気的に連結されるように形成される第１外郭電極配線と、
前記基板の他面の不活性領域に前記第２透明電極パターン部と電気的に連結されるように形成される第２外郭電極配線と、を含み、
前記第１及び第２透明電極パターン部の接触による静電容量変化によって接触位置を感知するように構成されることを特徴とする静電容量方式のタッチスクリーンパネル。
【請求項１０】
前記基板の他面の不活性領域上に前記第１及び第２外郭電極配線と電気的に連結されるように外部駆動部がボンディングされることを特徴とする請求項９に記載の静電容量方式のタッチスクリーンパネル。
【請求項１１】
層間接着剤によって一面が前記基板の他面にラミネートされ、且つ画面領域と不活性領域を有する透明基板と、
前記透明基板の他面の画面領域に形成されるノイズ信号除去用遮蔽電極パターンと、をさらに含むことを特徴とする請求項８または９に記載の静電容量方式のタッチスクリーンパネル。
【請求項１２】
前記透明基板の他面の不活性領域に前記遮蔽電極パターンと電気的に連結されるように外郭遮蔽電極配線をさらに含むことを特徴とする請求項１１に記載の静電容量方式のタッチスクリーンパネル。
【請求項１３】
画面領域と不活性領域を有する透明基板と、
前記透明基板の一面の画面領域に形成されるノイズ信号除去用遮蔽電極パターンと、
前記透明基板の一面の不活性領域に前記遮蔽電極パターンと電気的に連結されるように形成される外郭遮蔽電極配線と、をさらに含み、
層間接着剤によって前記透明基板の遮蔽電極パターン及び外郭遮蔽電極配線を含む一面が前記基板の他面にラミネートされることを特徴とする請求項８または９に記載の静電容量方式のタッチスクリーンパネル。
【請求項１４】
前記基板は、透明フィルム形状からなり、ガラス（Ｇｌａｓｓ）、ＰＥＴ（Ｐｏｌｙｅｔｈｙｌｅｎｅ  Ｔｅｒｅｐｈｔｈａｌａｔｅ）、ＰＥＮ（Ｐｏｌｙｅｔｈｙｌｅｎｅ  Ｎａｐｈｔｈａｌａｔｅ）、ＰＩ（Ｐｏｌｙｉｍｉｄｅ）またはアクリル（Ａｃｒｙｌ）のうち少なくともいずれか１つを利用して形成されることを特徴とする請求項８または９に記載の静電容量方式のタッチスクリーンパネル。
【請求項１５】
前記第１及び第２透明電極パターン部は、インジウム−スズ−オキサイド（ＩＴＯ）、インジウム−ジンク−オキサイド（ＩＺＯ）、ＡＺＯ（Ａｌ−ｄｏｐｅｄ  ＺｎＯ）、炭素ナノチューブ（ＣＮＴ）、導電性高分子（ＰＥＤＯＴ；ｐｏｌｙ（３,４−ｅｔｈｙｌｅｎｅｄｉｏｘｙｔｈｉｏｐｈｅｎｅ））、銀（Ａｇ）または銅（Ｃｕ）透明インクのうち少なくともいずれか１つを利用して形成されることを特徴とする請求項１、２、８または９のいずれかに記載の静電容量方式のタッチスクリーンパネル。
【請求項１６】
前記第１及び第２透明電極パターン部の形状が直交格子形状で形成されることができるように、前記第１透明電極パターン部は、多数個の三角形または四角形センシングパッドの頂点が一定間隔で離隔されるように縦方向に互いに連結された多数個の第１透明電極パターンが横方向に一定間隔で離隔されるように配列され、
前記第２透明電極パターン部は、多数個の三角形または四角形センシングパッドの頂点が一定間隔で離隔されるように横方向に互いに連結された多数個の第２透明電極パターンが各々第１透明電極パターンの間に直交形状に配置されるように縦方向に一定間隔で離隔されるように配列されることを特徴とする請求項１、２、８または９のいずれかに記載の静電容量方式のタッチスクリーンパネル。
【請求項１７】
前記遮蔽電極パターンは、プレートまたはメッシュ形状からなることを特徴とする請求項４、６、１１または１３のいずれかに記載の静電容量方式のタッチスクリーンパネル。
【発明の詳細な説明】
【技術分野】
【０００１】
本発明は、静電容量方式のタッチスクリーンパネルに関し、より詳細には、タッチスクリーンにおいて電極部上部のタッチによる誤動作が発生する問題点とタッチ時のスクラッチ損傷及び静電気による誤動作と損傷を防止することができると共に、タッチスクリーンの製作費用を効率的に節減することができ、タッチスクリーンパネルの製造工程を大幅に減少させることができる静電容量方式のタッチスクリーンパネルに関する。
【背景技術】
【０００２】
一般的に、タッチスクリーンは、ディスプレイに表示されているボタンを指で接触するだけで、コンピュータを対話的、直感的に操作することによって、老若男女誰でも容易に使用することができる入力装置である。
【０００３】
以上のようなタッチスクリーンは、抵抗膜方式、静電容量方式、赤外線方式、超音波方式などが使用されていて、現在、抵抗膜方式が多用されていて、その厚さを最小化するために、静電容量方式が使用されている。
【０００４】
ここで、前記静電容量方式のタッチスクリーンは、その構造が導電透光板からなるＩＴＯ（Ｉｎｄｉｕｍ  Ｔｉｎ  Ｏｘｉｄｅ）と、前記ＩＴＯの縁部に銀粉ペイントをペイント形成した電極部と、前記電極の下部を絶縁する絶縁コーティング部とで構成される。
【０００５】
一方、前記ＩＴＯは、透光性樹脂からなるＩＴＯフィルムと、前記ＩＴＯフィルムの下部に導電性物質がコーティング形成されたＩＴＯコーティング層とで構成される。
【０００６】
前述したような従来の静電容量方式のタッチスクリーンは、指でＩＴＯの上面をタッチすれば、指を通じて静電容量の変動によって4辺に設けられた各々の電極がこれを感知することによって、タッチ位置を感知することができる。
【０００７】
しかし、前述したような従来のタッチスクリーンは、その使用過程において電極部をタッチすれば、電極部位で線形性低下に起因してユーザの意思と異なった動作が行われるという問題点があった。
【０００８】
また、ＩＴＯの上面にスクラッチ損傷を防止する保護層を形成しているが、その材質が単純な合成樹脂だけからなるので、ユーザがタッチする時に印加される静電気に対して適切な対応をすることができないため、初期誤動作と損傷を誘発する問題点があった。
【発明の概要】
【発明が解決しようとする課題】
【０００９】
本発明は、前述したような問題点を解決するためになされたもので、その目的は、タッチスクリーンにおいて電極部上部のタッチによる誤動作が発生する問題点とタッチ時にスクラッチ損傷及び静電気による誤動作と損傷を防止することができると共に、タッチスクリーンの製作費用を効率的に節減することができ、タッチスクリーンパネルの製造工程を大幅に減少させることができる静電容量方式のタッチスクリーンパネルを提供することにある。
【課題を解決するための手段】
【００１０】
上記目的を達成するために、本発明の第１態様による静電容量方式のタッチスクリーンパネルは、画面領域と不活性領域を有する第１基板と、前記第１基板の一面の画面領域に形成される第１透明電極パターン部と、前記第１基板の一面の不活性領域に前記第１透明電極パターン部と電気的に連結されるように形成される第１外郭電極配線と、層間接着剤によって一面が前記第１基板の他面にラミネートされ、且つ画面領域と不活性領域を有する第２基板と、前記第２基板の他面の画面領域に形成される第２透明電極パターン部と、前記第２基板の他面の不活性領域に前記第２透明電極パターン部と電気的に連結されるように形成される第２外郭電極配線と、を含み、前記第１及び第２透明電極パターン部の接触による静電容量変化によって接触位置を感知するように構成される。
【００１１】
本発明の第２態様による静電容量方式のタッチスクリーンパネルは、画面領域と不活性領域を有する第１基板と、前記第１基板の一面の画面領域に形成される第１透明電極パターン部と、層間接着剤によって一面が前記第１基板の他面にラミネートされ、且つ画面領域と不活性領域を有する第２基板と、前記第２基板の他面の画面領域に形成される第２透明電極パターン部と、前記第２基板の他面の不活性領域に少なくとも１つのビアホールを通じて前記第１透明電極パターン部と電気的に連結されるように形成される第１外郭電極配線と、前記第２基板の他面の不活性領域に前記第２透明電極パターン部と電気的に連結されるように形成される第２外郭電極配線と、を含み、前記第１及び第２透明電極パターン部の接触による静電容量変化によって接触位置を感知するように構成される。
【００１２】
ここで、前記第２基板の他面の不活性領域上に前記第１及び第２外郭電極配線と電気的に連結されるように外部駆動部がボンディングされることが好ましい。
【００１３】
好ましくは、層間接着剤によって一面が前記第２基板の他面にラミネートされ、且つ画面領域と不活性領域を有する透明基板と、前記透明基板の他面の画面領域に形成されるノイズ信号除去用遮蔽電極パターンと、をさらに含むことができる。
【００１４】
好ましくは、前記透明基板の他面の不活性領域に前記遮蔽電極パターンと電気的に連結されるように外郭遮蔽電極配線をさらに含むことができる。
【００１５】
好ましくは、画面領域と不活性領域を有する透明基板と、前記透明基板の一面の画面領域に形成されるノイズ信号除去用遮蔽電極パターンと、前記透明基板の一面の不活性領域に前記遮蔽電極パターンと電気的に連結されるように形成される外郭遮蔽電極配線とをさらに含み、層間接着剤によって前記透明基板の遮蔽電極パターン及び外郭遮蔽電極配線を含む一面が前記第２基板の他面にラミネートされることができる。
【００１６】
好ましくは、前記第１及び第２基板は、透明フィルム形状からなり、ガラス（Ｇｌａｓｓ）、ＰＥＴ（Ｐｏｌｙｅｔｈｙｌｅｎｅ  Ｔｅｒｅｐｈｔｈａｌａｔｅ）、ＰＥＮ（Ｐｏｌｙｅｔｈｙｌｅｎｅ  Ｎａｐｈｔｈａｌａｔｅ）、ＰＩ（Ｐｏｌｙｉｍｉｄｅ）またはアクリル（Ａｃｒｙｌ）のうち少なくともいずれか１つを利用して形成されることができる。
【００１７】
本発明の第３態様による静電容量方式のタッチスクリーンパネルは、画面領域と不活性領域を有する基板と、前記基板の一面及び他面の画面領域に各々形成される第１及び第２透明電極パターン部と、前記基板の一面及び他面の不活性領域に前記第１及び第２透明電極パターン部と各々電気的に連結されるように形成される第１及び第２外郭電極配線と、を含み、前記第１及び第２透明電極パターン部の接触による静電容量変化によって接触位置を感知するように構成される。
【００１８】
本発明の第４態様による静電容量方式のタッチスクリーンパネルは、画面領域と不活性領域を有する基板と、前記基板の一面及び他面の画面領域に各々形成される第１及び第２透明電極パターン部と、前記基板の他面の不活性領域に少なくとも１つのビアホールを通じて前記第１透明電極パターン部と電気的に連結されるように形成される第１外郭電極配線と、前記基板の他面の不活性領域に前記第２透明電極パターン部と電気的に連結されるように形成される第２外郭電極配線と、を含み、前記第１及び第２透明電極パターン部の接触による静電容量変化によって接触位置を感知するように構成される。
【００１９】
ここで、前記基板の他面の不活性領域上に前記第１及び第２外郭電極配線と電気的に連結されるように外部駆動部がボンディングされることが好ましい
【００２０】
好ましくは、層間接着剤によって一面が前記基板の他面にラミネートされ、且つ画面領域と不活性領域を有する透明基板と、前記透明基板の他面の画面領域に形成されるノイズ信号除去用遮蔽電極パターンと、をさらに含むことができる。
【００２１】
好ましくは、前記透明基板の他面の不活性領域に前記遮蔽電極パターンと電気的に連結されるように外郭遮蔽電極配線をさらに含むことができる。
【００２２】
好ましくは、画面領域と不活性領域を有する透明基板と、前記透明基板の一面の画面領域に形成されるノイズ信号除去用遮蔽電極パターンと、前記透明基板の一面の不活性領域に前記遮蔽電極パターンと電気的に連結されるように形成される外郭遮蔽電極配線と、をさらに含み、層間接着剤によって前記透明基板の遮蔽電極パターン及び外郭遮蔽電極配線を含む一面が前記基板の他面にラミネートされることができる。
【００２３】
好ましくは、前記基板は、透明フィルム形状からなり、ガラス（Ｇｌａｓｓ）、ＰＥＴ（Ｐｏｌｙｅｔｈｙｌｅｎｅ  Ｔｅｒｅｐｈｔｈａｌａｔｅ）、ＰＥＮ（Ｐｏｌｙｅｔｈｙｌｅｎｅ  Ｎａｐｈｔｈａｌａｔｅ）、ＰＩ（Ｐｏｌｙｉｍｉｄｅ）またはアクリル（Ａｃｒｙｌ）のうち少なくともいずれか１つを利用して形成されることができる。
【００２４】
好ましくは、前記第１及び第２透明電極パターン部は、インジウム−スズ−オキサイド（ＩＴＯ）、インジウム−ジンク−オキサイド（ＩＺＯ）、ＡＺＯ（Ａｌ−ｄｏｐｅｄ  ＺｎＯ）、炭素ナノチューブ（ＣＮＴ）、導電性高分子（ＰＥＤＯＴ；ｐｏｌｙ（３,４−ｅｔｈｙｌｅｎｅｄｉｏｘｙｔｈｉｏｐｈｅｎｅ））、銀（Ａｇ）または銅（Ｃｕ）透明インクのうち少なくともいずれか１つを利用して形成されることができる。
【００２５】
好ましくは、前記第１及び第２透明電極パターン部の形状が直交格子形状で形成されることができるように、前記第１透明電極パターン部は、多数個の三角形または四角形センシングパッドの頂点が一定間隔で離隔されるように縦方向に互いに連結された多数個の第１透明電極パターンが横方向に一定間隔で離隔されるように配列され、前記第２透明電極パターン部は、多数個の三角形または四角形センシングパッドの頂点が一定間隔で離隔されるように横方向に互いに連結された多数個の第２透明電極パターンが各々第１透明電極パターンの間に直交形状に配置されるように縦方向に一定間隔で離隔されるように配列されることができる。
【００２６】
好ましくは、前記遮蔽電極パターンは、プレートまたはメッシュ形状からなることができる。
【発明の効果】
【００２７】
以上説明したような本発明の静電容量方式のタッチスクリーンパネルによれば、タッチスクリーンにおいて電極部上部のタッチによる誤動作が発生する問題点とタッチ時にスクラッチ損傷及び静電気による誤動作と損傷を防止することができると共に、タッチスクリーンの製作費用を効率的に節減することができ、タッチスクリーンパネルの製造工程を大幅に減少させることができるという利点がある。
【図面の簡単な説明】
【００２８】
【図１】本発明の実施例による静電容量方式のタッチスクリーンパネルを含むタッチスクリーンの断面構造を概略的に示す図である。
【図２】本発明の実施例による静電容量方式のタッチスクリーンパネルを含むタッチスクリーンの断面構造を概略的に示す図である。
【図３】本発明の実施例による静電容量方式のタッチスクリーンパネルを含むタッチスクリーンの断面構造を概略的に示す図である。
【図４】本発明の実施例による静電容量方式のタッチスクリーンパネルを含むタッチスクリーンの断面構造を概略的に示す図である。
【図５】本発明の第１実施例による静電容量方式のタッチスクリーンパネルを説明するための全体的な平面図である。
【図６】図５の第１基板部分のみを抜粋して示す平面図である。
【図７】図５の第２基板部分のみを抜粋して示す平面図である。
【図８】本発明の第１実施例による静電容量方式のタッチスクリーンパネルを説明するための縦断面図である。
【図９】図５のＡ−Ａ'線に沿う断面図である。
【図１０】本発明の第２実施例による静電容量方式のタッチスクリーンパネルを説明するための全体的な平面図である。
【図１１】図１０の第１基板部分のみを抜粋して示す平面図である。
【図１２】図１０の第２基板部分のみを抜粋して示す平面図である。
【図１３】本発明の第２実施例による静電容量方式のタッチスクリーンパネルを説明するための縦断面図である。
【図１４】図１０のＢ−Ｂ'線に沿う断面図である。
【発明を実施するための形態】
【００２９】
以下、添付の図面を参照して本発明の実施例を詳細に説明する。しかし、次に例示する本発明の実施例は、様々な他の形状に変形されることができ、本発明の範囲が次に説明する実施例に限定されるものではない。本発明の実施例は、当業界において通常の知識を有する者に本発明をさらに完全に説明するために提供されるものである。
【００３０】
図１〜図４は、本発明の実施例による静電容量方式のタッチスクリーンパネルを含むタッチスクリーンの断面構造を概略的に示す図である。
【００３１】
図１を参照すれば、本発明の実施例による静電容量方式のタッチスクリーンパネルは、基本的に第１基板１０及び第２基板１１の一面が層間接着剤Ｏによって互いにラミネートされる構造であって、第１基板１０の他面の特定領域に第１透明電極パターン１２と電気的に連結された第１外郭電極配線１３が各々特定形状で形成されていて、第２基板１１の他面の特定領域に第２透明電極パターン１４と電気的に連結された第２外郭電極配線１５が各々特定形状で形成されている。
【００３２】
また、第１基板１０の他面に指または特定物体（例えば、タッチペン）などが接触することができるように、層間接着剤Ｏによってラミネートされた平板形状のウィンドウスクリーン（Ｗｉｎｄｏｗ  Ｓｃｒｅｅｎ）１６が設けられている。
【００３３】
また、第２基板１１の他面に電磁妨害（Ｅｌｅｃｔｒｏｍａｇｎｅｔｉｃ  Ｉｎｔｅｒｆｅｒｅｎｃｅ、ＥＭＩ）ノイズを除去することができるように、層間接着剤Ｏによって一面がラミネートされた第３基板１７と、第３基板１７の他面の特定領域に接地またはノイズ信号除去用遮蔽電極パターン１８と電気的に連結された外郭遮蔽電極配線１９が各々特定形状で形成されている。
【００３４】
ここで、外郭遮蔽電極配線１９は、外部駆動部１７０（図５参照）または外部の印刷回路基板ＰＣＢに電気的に連結されることが好ましいが、これに限定されず、外郭遮蔽電極配線１９を除去し、遮蔽電極パターン１８がすぐ外部駆動部１７０または外部の印刷回路基板ＰＣＢに電気的に連結されるようにボンディングされてもよい。
【００３５】
また、第３基板１７の他面に層間接着剤Ｏによってラミネートされたタッチパネル保護用カバー２０が設けられている。
【００３６】
図２を参照すれば、前述した図１と比較して第３基板１７、遮蔽電極パターン１８及び外郭遮蔽電極配線１９の位置が変更された構造であって、第３基板１７の一面の特定領域に遮蔽電極パターン１８及び外郭遮蔽電極配線１９が各々特定形状で形成されていて、層間接着剤Ｏによって第３基板１７の一面が第２基板１１の他面にラミネートされている。
【００３７】
また、第３基板１７の他面に層間接着剤Ｏによってラミネートされたタッチパネル保護用カバー２０が設けられているが、これに限定されず、タッチパネル保護用カバー２０が除去され、第３基板１７がタッチパネル保護用カバー２０の機能を代行するように構成することによって、タッチスクリーンの製作費用を効率的に節減することができ、タッチスクリーンパネルの製造工程を大幅に減少させることができるという効果がある。
【００３８】
図３を参照すれば、前述した図１と比較して層間接着剤Ｏによって互いにラミネートされた第１基板１０及び第２基板１１を使用せずに、１つの基板３０を使用した構造であって、基板３０の一面の特定領域に第１透明電極パターン１２及び第１外郭電極配線１３が各々特定形状で形成されていて、基板３０の他面の特定領域に第２透明電極パターン１４及び第２外郭電極配線１５が各々特定形状で形成されている。
【００３９】
これにより、第１基板１０及び第２基板１１の接合時に高精度の公差維持に対する困難性を効果的に克服することができると共に、タッチスクリーンの製作費用を効率的に節減することができ、タッチスクリーンパネルの製造工程を大幅に減少させることができるという効果がある。
【００４０】
また、その他の構成要素は、前述した図１と同一の構造及び作用効果を有するので、これについての詳細な説明は省略する。
【００４１】
図４を参照すれば、前述した図３と比較して前述した図２と同様に、第３基板１７、遮蔽電極パターン１８及び外郭遮蔽電極配線１９の位置が変更された構造であって、第３基板１７の一面の特定領域に遮蔽電極パターン１８及び外郭遮蔽電極配線１９が各々特定形状で形成されていて、層間接着剤Ｏによって第３基板１７の一面が第２基板１１の他面にラミネートされている。
【００４２】
一方、前述した図１〜図４に適用された第１基板１０、第２基板１１、第３基板１７は、透明な誘電性フィルム形状からなり、例えば、ガラス（Ｇｌａｓｓ）、ＰＩ（Ｐｏｌｙｉｍｉｄｅ）、アクリル（Ａｃｒｙｌ）、ＰＥＴ（Ｐｏｌｙｅｔｈｙｌｅｎｅ  Ｔｅｒｅｐｈｔｈａｌａｔｅ）またはＰＥＮ（Ｐｏｌｙｅｔｈｙｌｅｎｅ  Ｎａｐｈｔｈａｌａｔｅ）などを利用して形成されることが好ましい。
【００４３】
また、層間接着剤Ｏは、透明接着剤として、例えば、光学用透明接着剤（Ｏｐｔｉｃａｌｌｙ  Ｃｌｅａｒ  Ａｄｈｅｓｉｖｅ、ＯＣＡ）などを使用することが好ましい。
【００４４】
また、ウィンドウスクリーン１６及びタッチパネル保護用カバー２０は、例えば、ガラス（Ｇｌａｓｓ）またはＰＥＴ（Ｐｏｌｙｅｔｈｙｌｅｎｅ  Ｔｅｒｅｐｈｔｈａｌａｔｅ）などを利用して形成されることが好ましい。
【００４５】
また、第１電極パターン１２及び第２透明電極パターン１４と遮蔽電極パターン１８は、例えば、インジウム−スズ−オキサイド（Ｉｎｄｉｕｍ  Ｔｉｎ  Ｏｘｉｄｅ、ＩＴＯ）、インジウム−ジンク−オキサイド（Ｉｎｄｉｕｍ  Ｚｉｎｃ  Ｏｘｉｄｅ、ＩＺＯ）、ＡＺＯ（Ａｌ−ｄｏｐｅｄ  ＺｎＯ）、炭素ナノチューブ（ＣＮＴ）、導電性高分子（ＰＥＤＯＴ；ｐｏｌｙ３,４−ｅｔｈｙｌｅｎｅｄｉｏｘｙｔｈｉｏｐｈｅｎｅ）、銀（Ａｇ）または銅（Ｃｕ）透明インクなどを利用して形成されることが好ましい。
【００４６】
また、第１外郭電極配線１３及び第２外郭電極配線１５と外郭遮蔽電極配線１９は、例えば、銅（Ｃｕ）、ニッケル（Ｎｉ）、アルミニウム（Ａｌ）、クロム（Ｃｒ）、モリブデン（Ｍｏ）、銀（Ａｇ）または金（Ａｕ）のうち少なくともいずれか１つの物質を利用して形成されることが好ましい。
【００４７】
上記のように構成された本発明によるタッチスクリーンの動作原理は、通常的な静電容量方式のタッチスクリーンの動作原理と同一であるところ、これについて簡略に説明すれば、ウィンドウスクリーン１６上に指または特定物体などによってタッチすれば、誘電体であるウィンドウスクリーン１６と第１透明電極パターン１２との間に、第１基板１０及び第２基板１１または基板３０と第２透明電極パターン１４との間に静電容量が誘導される。制御部１６０（図５参照）は、誘導された静電容量の変化を通じてウィンドウスクリーン１６上にタッチされる位置の第１及び第２方向座標を検出するようになる。
【００４８】
（第１実施例）
【００４９】
図５は、本発明の第１実施例による静電容量方式のタッチスクリーンパネルを説明するための全体的な平面図であり、図６及び図７は、各々図５の第１及び第２基板部分のみを抜粋して示す平面図であり、図８は、本発明の第１実施例による静電容量方式のタッチスクリーンパネルを説明するための縦断面図であり、図９は、図５のＡ−Ａ'線に沿う断面図である。
【００５０】
図５〜図９を参照すれば、本発明の第１実施例による静電容量方式のタッチスクリーンパネルは、大きく、第１基板１００及び第２基板１１０と、第１透明電極パターン部１２０及び第２透明電極パターン部１３０と、第１外郭電極配線１４０及び第２外郭電極配線１５０などを備えて形成される。
【００５１】
ここで、第１基板１００及び第２基板１１０の一面が層間接着剤Ｏによって互いにラミネートされていて、画面領域Ｓと不活性領域Ｘを有する。
【００５２】
このような第１基板１００及び第２基板１１０は、透明な誘電性フィルム形状からなり、例えば、ガラス（Ｇｌａｓｓ）、ＰＩ（Ｐｏｌｙｉｍｉｄｅ）、アクリル（Ａｃｒｙｌ）、ＰＥＴ（Ｐｏｌｙｅｔｈｙｌｅｎｅ  Ｔｅｒｅｐｈｔｈａｌａｔｅ）またはＰＥＮ（Ｐｏｌｙｅｔｈｙｌｅｎｅ  Ｎａｐｈｔｈａｌａｔｅ）などを利用して形成されることが好ましい。
【００５３】
第１透明電極パターン部１２０は、第１基板１００の他面の画面領域Ｓ上に形成されていて、多数個の三角形または四角形センシングパッド（Ｓｅｎｓｉｎｇ  Ｐａｄ、ＳＰ）の頂点が一定間隔で離隔されるように縦方向に互いに電気的に連結された多数個の第１透明電極パターン１２５が横方向に一定間隔で離隔されるように配列されている。
【００５４】
第２透明電極パターン部１３０は、第２基板１１０の他面の画面領域Ｓ上に形成されていて、多数個の三角形または四角形センシングパッド（Ｓｅｎｓｉｎｇ  Ｐａｄ、ＳＰ）の頂点が一定間隔で離隔されるように横方向に互いに電気的に連結された多数個の第２透明電極パターン１３５が各々の第１透明電極パターン１２５の間に直交形状に配置されるように縦方向に一定間隔で離隔されるように配列されることによって、第１基板１００及び第２基板１１０を平面から見た時、直交格子形状で形成されることができる。
【００５５】
このような第１透明電極パターン部１２０及び第２透明電極パターン部１３０は、例えば、インジウム−スズ−オキサイド（Ｉｎｄｉｕｍ  Ｔｉｎ  Ｏｘｉｄｅ、ＩＴＯ）、インジウム−ジンク−オキサイド（Ｉｎｄｉｕｍ  Ｚｉｎｃ  Ｏｘｉｄｅ）、ＩＺＯ、ＡＺＯ（Ａｌ−ｄｏｐｅｄ  ＺｎＯ）、炭素ナノチューブ（Ｃａｒｂｏｎ  Ｎａｎｏ  Ｔｕｂｅ、ＣＮＴ）、導電性高分子（ＰＥＤＯＴ；ｐｏｌｙ３,４−ｅｔｈｙｌｅｎｅｄｉｏｘｙｔｈｉｏｐｈｅｎｅ）、銀（Ａｇ）または銅（Ｃｕ）透明インクなどを利用して形成されることが好ましい。  
【００５６】
一方、センシングパッド（ＳＰ）の形状は、例えば、三角形、四角形または菱形に形成されることが好ましいが、これらに限定されず、例えば、円形、卵円形または多角形など多様な形状で形成されてもよい。
【００５７】
第１外郭電極配線１４０は、第１基板１００の他面の不活性領域Ｘ上に第１透明電極パターン部１２０の各々の第１透明電極パターン１２５と電気的に連結されるように形成されている。
【００５８】
第２外郭電極配線１５０は、第２基板１１０の他面の不活性領域Ｘ上に第２透明電極パターン部１３０の各々の第２透明電極パターン１３５と電気的に連結されるように形成されている。
【００５９】
また、第１基板１００及び第２基板１１０の他面の不活性領域Ｘ上には、タッチスクリーンパネルを全体的に駆動及び制御するために、第１外郭電極配線１４０及び第２外郭電極配線１５０と各々電気的に連結されるように制御部１６０を搭載した外部駆動部（例えば、ＦＰＣ（Ｆｌｅｘｉｂｌｅ  Ｐｒｉｎｔｅｄ  ｃｉｒｃｕｉｔ）またはＣＯＦ（Ｃｈｉｐ  Ｏｎ  Ｆｉｌｍ）など）１７０が両面にボンディングされている。
【００６０】
追加的に、第２基板１１０の他面に層間接着剤Ｏ（図１参照）によって一面がラミネートされ、且つ画面領域Ｓと不活性領域Ｘを有する透明基板（図示せず）（図１の第３基板１７に該当）と、前記透明基板の他面の画面領域Ｓに形成されるノイズ信号除去用遮蔽電極パターン１８（図１参照）とをさらに含むことができる。
【００６１】
さらに、前記透明基板の他面の不活性領域Ｘに遮蔽電極パターン１８と電気的に連結されるように外郭遮蔽電極配線１９（図１参照）をさらに含むこともできる。一方、遮蔽電極パターン１８は、例えば、プレート（Ｐｌａｔｅ）またはメッシュ（Ｍｅｓｈ）形状などからなることができる。一方、前述した図２に示されたように、前記透明基板、遮蔽電極パターン１８及び外郭遮蔽電極配線１９の位置が変更された構造も可能である。
【００６２】
（第２実施例）
【００６３】
図１０は、本発明の第２実施例による静電容量方式のタッチスクリーンパネルを説明するための全体的な平面図であり、図１１及び図１２は、各々図１０の第１及び第２基板部分のみを抜粋して示す平面図であり、図１３は、本発明の第２実施例による静電容量方式のタッチスクリーンパネルを説明するための縦断面図であり、図１４は、図１０のＢ−Ｂ'線に沿う断面図である。
【００６４】
図１０〜図１４を参照すれば、本発明の第２実施例による静電容量方式のタッチスクリーンパネルは、大きく、第１基板２００及び第２基板２１０と、第１透明電極パターン部２２０及び第２透明電極パターン部２３０と、第１外郭電極配線２４０及び第２外郭電極配線２５０などを含んで形成される。
【００６５】
ここで、第１基板２００及び第２基板２１０と、第１透明電極パターン部２２０及び第２透明電極パターン部２３０は、前述した本発明の第１実施例と同一なので、これについての詳細な説明は、前述の本発明の第１実施例を参照する。
【００６６】
特に、本発明の第２実施例による静電容量方式のタッチスクリーンパネルは、外部駆動部２７０を単面ボンディングするための構造であって、第１外郭電極配線２４０は、第１基板２００及び第２基板２１０の不活性領域Ｘ上に形成された少なくとも１つのビアホール（Ｖｉａ  Ｈｏｌｅ、ＶＨ）を通じて第１透明電極パターン部２２０の各々の第１透明電極パターン２２５と電気的に連結されるように第２基板２１０の他面の不活性領域Ｘ上に形成されている。
【００６７】
第２外郭電極配線２５０は、第２基板２１０の他面の不活性領域Ｘ上に第２透明電極パターン部２３０の各々の第２透明電極パターン２３５と電気的に連結されるように形成されている。
【００６８】
また、第１基板２００及び第２基板２１０の他面の不活性領域Ｘ上には、タッチスクリーンパネルを全体的に駆動及び制御するために、第１外郭電極配線２４０及び第２外郭電極配線２５０と各々電気的に連結されるように制御部２６０を搭載した外部駆動部２７０が単面ボンディングされている。
【００６９】
一方、前述した図１０では、制御部２６０を搭載した外部駆動部２７０が外部に突出されてボンディングされているが、これに限定されず、外部に突出せずに第１基板２００及び第２基板２１０の他面の不活性領域Ｘの上部に単面ボンディングされることもできる。  
【００７０】
追加的に、第２基板２１０の他面に層間接着剤Ｏ（図１参照）によって一面がラミネートされ、且つ画面領域Ｓと不活性領域Ｘを有する透明基板（図示せず）（図１の第３基板１７に該当）と、前記透明基板の他面の画面領域Ｓに形成されるノイズ信号除去用遮蔽電極パターン１８（図１参照）とをさらに含むことができる。
【００７１】
さらに、前記透明基板の他面の不活性領域Ｘに遮蔽電極パターン１８と電気的に連結されるように外郭遮蔽電極配線１９（図１参照）をさらに含むこともできる。一方、遮蔽電極パターン１８は、例えば、プレート（Ｐｌａｔｅ）またはメッシュ（Ｍｅｓｈ）形状などからなることができる。一方、前述した図２に示されたように、前記透明基板、遮蔽電極パターン１８及び外郭遮蔽電極配線１９の位置が変更された構造も可能である。
【００７２】
一方、前述した本発明の第１及び第２実施例では、層間接着剤Ｏによって互いにラミネートされた第１基板１００及び第２基板１１０、第１基板２００及び第２基板２１０を使用したが、これらに限定されず、前述した図３及び図４に示されたように、層間接着剤Ｏを使用せずに、１つの基板３０からなる構造を使用してもよい。
【００７３】
以上、本発明による静電容量方式のタッチスクリーンパネルの好ましい実施例について説明したが、本発明は、これに限定されるものではなく、特許請求の範囲と発明の詳細な説明及び添付の図面の範囲内で様々に変形して実施することが可能であり、これも本発明に属する。
【図１】
2011528147.tif 000003
【図２】
2011528147.tif 000004
【図３】
2011528147.tif 000005
【図４】
2011528147.tif 000006
【図５】
2011528147.tif 000007
【図６】
2011528147.tif 000008
【図７】
2011528147.tif 000009
【図８】
2011528147.tif 000010
【図９】
2011528147.tif 000011
【図１０】
2011528147.tif 000012
【図１１】
2011528147.tif 000013
【図１２】
2011528147.tif 000014
【図１３】
2011528147.tif 000015
【図１４】
2011528147.tif 000016
【国際調査報告】
2011528147.tif 000017
2011528147.tif 000018
2011528147.tif 000019
2011528147.tif 000020